(57)【要約】【課題】常設したロープテンション測定装置に接続されるセンサーケーブルの主ロープへの巻き付きを防ぐことができる。【解決手段】ロープテンション測定装置６を主ロープ５に常設可能であるとともに、ロープテンション測定装置６から延設される第１センサーケーブル７ａと、この第１センサーケーブル７ａが取り付けられるとともに、第１センサーケーブル７ａと接続される第１信号接触子１０ａが設けられ、主ロープ５の回転及び上下動に追従する内側円筒ブラケット８ａと、この内側円筒ブラケット８ａが収納され、この内側円筒ブラケット８ａの第１信号接触子１０ａと接触する第２信号接触子１０ｂが設けられる外側円筒ブラケット８ｂと、第２信号接触子１０ｂから延設されるとともに、外側円筒ブラケット８ｂに取り付けられる第２センサーケーブル７ｂを備えた構成にしてある。【選択図】図１
2011152968.tif 000002
【特許請求の範囲】
【請求項１】
乗かごとカウンタウエイトとを連結する主ロープにロープテンション測定装置を取り付けるエレベータのロープテンション測定装置の取り付け構造において、
前記ロープテンション測定装置から延設される第１センサーケーブルと、この第１センサーケーブルが取り付けられるとともに、前記第１センサーケーブルと接続される第１信号接触子が設けられ、前記主ロープの回転及び上下動に追従する内側円筒ブラケットと、この内側円筒ブラケットが収納され、この内側円筒ブラケットの前記第１信号接触子と接触する第２信号接触子が設けられる外側円筒ブラケットと、前記第２信号接触子から延設されるとともに、前記外側円筒ブラケットに取り付けられる第２センサーケーブルを備えたことを特徴とするエレベータのロープテンション測定装置の取り付け構造。
【請求項２】
請求項１に記載のエレベータのロープテンション測定装置の取り付け構造において、
前記第２センサーケーブルを介して出力される信号が一定期間無いときには、異常であると判定するようにしたことを特徴とするエレベータのロープテンション測定装置の取り付け構造。
【請求項３】
請求項１または２に記載のエレベータのロープテンション測定装置の取り付け構造において、
前記内側円筒ブラケットを、前記主ロープのロープ端を機械室に固定するロープ端固定装置に含まれるロープソケットに保持させ、
前記外側円筒ブラケットを、この外側円筒ブラケットに接続される支持部を介して前記機械室に固定したことを特徴とするエレベータのロープテンション測定装置の取り付け構造。
【発明の詳細な説明】
【技術分野】
【０００１】
本発明は、エレベータの乗かごとカウンタウエイトを吊り下げる複数の主ロープのロープテンションを測定するエレベータのロープテンション測定装置の取り付け構造に関する。
【背景技術】
【０００２】
一般に、エレベータの乗かごとカウンタウエイトを吊り下げる主ロープには、鋼製のワイヤロープが用いられている。乗かごの重量が重く、かつ昇降行程が長い高速・高揚程のエレベータでは例えば８から１０本の主ロープが用いられることが多い。近年、建築物のより一層の高層化によりエレベータも高速・高揚程化している。このようなエレベータの主ロープのロープテンションは、乗り心地の品質上重要な保全項目であり、点検調整の精度向上と効率化が望まれている。
【０００３】
主モータで巻き上げられる主ロープのロープテンションにアンバランスがある場合、ロープ素線の摩耗・切断、ストランド切れ等、ロープ寿命に悪影響を及ぼすだけではなく、巻上機のシーブ溝の早期摩耗にもつながる等の問題がある。また、ひとたびシーブに偏摩耗が生じると、昇降行程が長い場合に送り出される主ロープ長に差が出て、さらにロープテンションのアンバランスが拡大する。これらは昇降路行程に比例して顕著となるため、経時変化によるロープテンションのバランス崩れを直すため定期的なロープテンションの点検と調整が高揚程のエレベータで特に重要である。
【０００４】
そこで従来、容易に定期的なロープテンションの点検または調整を行なうための装置として、ロープテンション測定装置が提案されている（特許文献１参照）。
【先行技術文献】
【特許文献】
【０００５】
【特許文献１】特開平０９−２５７６１０号公報
【発明の概要】
【発明が解決しようとする課題】
【０００６】
しかしながら、前述した従来のロープテンション測定装置では、ロープテンションを測定するために作業者が現地エレベータへ行き、エレベータ昇降路内に入らなければならないので、ロープテンション計測作業に時間を要するという問題がある。
【０００７】
なお、常設可能なロープテンション測定装置を設けることが考えられるが、その場合には、センサーケーブルがロープへ巻き付くなどのロープテンション測定装置に係わる異常を防止する何らかの仕組みが必要となる。
【０００８】
本発明は、前述した従来技術における実状からなされたもので、その目的は、常設したロープテンション測定装置に接続されるセンサーケーブルの主ロープへの巻き付きを防ぐことができるエレベータのロープテンション測定装置の取り付け構造を提供することにある。
【課題を解決するための手段】
【０００９】
前述の目的を達成するために、本発明に係るエレベータのロープテンション測定装置の取り付け構造は、乗かごとカウンタウエイトとを連結する主ロープにロープテンション測定装置を取り付けるエレベータのロープテンション測定装置の取り付け構造において、前記ロープテンション測定装置から延設される第１センサーケーブルと、この第１センサーケーブルが取り付けられるとともに、前記第１センサーケーブルと接続される第１信号接触子が設けられ、前記主ロープの回転及び上下動に追従する内側円筒ブラケットと、この内側円筒ブラケットが収納され、この内側円筒ブラケットの前記第１信号接触子と接触する第２信号接触子が設けられる外側円筒ブラケットと、前記第２信号接触子から延設されるとともに、前記外側円筒ブラケットに取り付けられる第２センサーケーブルを備えたことを特徴としている。
【００１０】
このように構成した本発明は、ロープテンション測定装置を主ロープに常設可能であるので、ロープテンションを計測する度に昇降路内に入る必要がない。また、主ロープの回転や上下移動を生じた際には、この主ロープの回転や上下動に追従して、ロープテンション測定装置から延設される第１センサーケーブルが取り付けられる内側円筒ブラケットが回転や上下動を行うが、この間、第１信号接触子と第２信号接触子との接触は維持される。したがって、第１センサーケーブル、第１信号接触子、第２信号接触子、及び第２センサーケーブルを介して、ロープテンション測定装置の計測結果を出力することができる。すなわち、主ロープの回転や上下動に追従して第１センサーケーブルが取り付けられる内側円筒ブラケットが回転や上下動しながら、この内側円筒ブラケットが収納される外側円筒ブラケットに取り付けられる第２センサーケーブルからロープテンション測定装置の計測結果を出力することができる。これにより、主ロープの回転や上下動を生じた際の第１，第２センサーケーブルの主ロープへの巻き付けを防ぐことができる。
【００１１】
また、本発明に係るエレベータのロープテンション測定装置は、前記発明において、前記第２センサーケーブルを介して出力される信号が一定期間無いときには、異常であると判定するようにしたことを特徴としている。
【００１２】
また、本発明に係るエレベータのロープテンション測定装置は、前記発明において、前記内側円筒ブラケットを、前記主ロープのロープ端を機械室に固定するロープ端固定装置に含まれるロープソケットに保持させ、前記外側円筒ブラケットを、この外側円筒ブラケットに接続される支持部を介して前記機械室に固定したことを特徴としている。
【発明の効果】
【００１３】
本発明は、ロープテンション測定装置を主ロープに常設可能であるので、ロープテンションを計測する度に昇降路内に入る必要がなく、ロープテンション計測作業時間を低減できる。また、主ロープの回転や上下動に追従して第１センサーケーブルが取り付けられる内側円筒ブラケットが回転や上下動しながら、この内側円筒ブラケットが収納される外側円筒ブラケットに取り付けられる第２センサーケーブルからロープテンション測定装置の計測結果を出力することができる。これにより、主ロープの回転や上下動を生じた際の第１，第２センサーケーブルの主ロープへの巻き付けを防ぐことができ、長期間にわたって安定してロープテンションを計測することができる。
【図面の簡単な説明】
【００１４】
【図１】本発明に係るエレベータのロープテンション測定装置の取り付け構造の一実施形態を示す斜視図である。
【図２】本実施形態に係る取り付け構造に備えられる２重構造円筒ブラケットを拡大して示す斜視図である。
【図３】図２に示す２重構造円筒ブラケットを構成する内側円筒ブラケットの斜視図である。
【図４】図２に示す２重構造円筒ブラケットを構成する外側円筒ブラケットの斜視図である。
【発明を実施するための形態】
【００１５】
以下、本発明に係るエレベータのロープテンション測定装置の取り付け構造の実施の形態を図に基づいて説明する。
【００１６】
図１は本発明に係るエレベータのロープテンション測定装置の取り付け構造の一実施形態を示す斜視図、図２は本実施形態に係る取り付け構造に備えられる２重構造円筒ブラケットを拡大して示す斜視図、図３は図２に示す２重構造円筒ブラケットを構成する内側円筒ブラケットの斜視図、図４は図２に示す２重構造円筒ブラケットを構成する外側円筒ブラケットの斜視図である。
【００１７】
一般に、２：１ローピングエレベータは、機械室に巻上機及びそらせシーブが設置され、これらの巻上機及びそらせシーブに複数本の主ロープが巻き掛けられており、乗かごとカウンタウエイトを吊り下げる主ロープのロープ端は、それぞれ機械室に固定されている。
【００１８】
すなわち、図１に示すように、主ロープ５のロープ端にシンブルロッド４ａを有するロープソケット４が取り付けられ、このロープソケット４のシンブルロッド４ａが機械室に形成された通し穴３に挿入され、シンブルロッド４ａに装着したばね２と、このばね２を圧縮するようにシンブルロッド４ａに形成したねじ部に螺合させたナット１を介して主ロープ５のロープ端は機械室に固定される。
【００１９】
前述したシンブルロッド４ａを有するロープソケット４、通し穴３、ばね２及びナット１は、主ロープ５のロープ端を固定するロープ端固定装置を構成している。
【００２０】
ロープテンション測定装置６は、常設するように取り付けてあり、主ロープ５の移動の少ないロープソケット４近傍の位置に配置してある。
【００２１】
本実施形態に係る取り付け構造は、同図１，２に示すように、内側円筒ブラケット８ａと、この内側円筒ブラケット８ａが収納される外側円筒ブラケット８ｂとから構成された２重構造円筒ブラケットを備えており、この２重構造円筒ブラケットをロープテンション測定装置６の近傍に設けてある。外側円筒ブラケット８ｂの上端部に支持部９を取り付けてあり、この支持部９を機械室の通し穴３に挿通させて機械室に固定してある。すなわち、外側円筒ブラケット８ｂを、この外側円筒ブラケット８ｂに接続される支持部９を介して機械室に固定してある。一方、内側円筒ブラケット８ａは、ロープソケット４に保持させてあり、主ロープ５の回転及び上下動に追従するようにしてある。
【００２２】
内側円筒ブラケット８ａの外側には、図３に示すように、ロープテンション測定装置６から延設される第１センサーケーブル７ａが取り付けられており、この第１センサーケーブル７ａのケーブル端には例えば長方形に形成した第１信号接触子１０ａを設けてある。また、外側円筒ブラケット８ｂの外側には、図４に示すように、第２センサーケーブル７ｂが取り付けられており、この外側円筒ブラケット８ｂの内側には、周方向の全域に沿って前述の第１信号接触子１０ａと接触するとともに、第２センサーケーブル７ｂと接続される第２信号接触子１０ｂを取り付けてある。前述した内側円筒ブラケット８ａに設けられる第１信号接触子１０ａの上下方向の寸法は、主ロープ５の伸び量の限界値を考慮した寸法に設定してある。なお、第１，第２信号接触子１０ａ，１０ｂは、複数の信号の混合を避けるために、信号の種類毎に設けてもよい。
【００２３】
このように構成した本実施形態にあって、ロープソケット４を含むロープ端固定装置とロープテンション測定装置６とが正常に設置されているときには、ロープテンション測定装置６から出力される信号が第１センサーケーブル７ａ、第１信号接触子１０ａ、第２信号接触子１０ｂ、第２センサーケーブル７ｂを介して導かれ、所望のロープテンションの計測を実施することができる。
【００２４】
また、主ロープ５が経時変化によって限界値を超える程度まで伸びたり、ロープ端固定装置の取り付け位置に異常なずれを生じたり、あるいはロープテンション測定装置６が落下する等の異常を生じた場合には、第１信号接触子１０ａと第２信号接触子１０ｂとが接触しなくなり、測定結果に相応する信号を出力できなくなる。したがって、第２信号接触子７ｂを介して出力される信号が一定期間無いときには、上述した何らかの異常が発生したと判定することができる。
【００２５】
本実施形態に係るロープテンション測定装置の取り付け構造によれば、ロープテンション測定装置６を主ロープ５に常設可能であるので、ロープテンションを計測する度に昇降路内に入る必要がない。これにより、ロープテンション計測作業時間を低減できる。また、前述したようなロープテンション計測作業の間、主ロープ５の回転や上下移動を生じた際には、この主ロープ５の回転や上下動に追従して、ロープテンション測定装置６から延設される第１センサーケーブル７ａが取り付けられる内側円筒ブラケット８ａが回転や上下動を行うが、この間、第１信号接触子１０ａと第２信号接触子１０ｂとの接触は維持される。したがって、第１センサーケーブル７ａ、第１信号接触子１０ａ、第２信号接触子１０ｂ、及び第２センサーケーブル７ｂを介して、ロープテンション測定装置６の計測結果を出力することができる。すなわち、主ロープ５の回転や上下動に伴って第１センサーケーブル７ａが取り付けられる内側円筒ブラケット８ａが回転や上下動しながら、この内側円筒ブラケット８ａが収納される外側円筒ブラケット８ｂに取り付けられる第２センサーケーブル７ｂからロープテンション測定装置６の計測結果を出力することができる。これにより、主ロープ５の回転や上下動を生じた際の第１，第２センサーケーブル７ａ，７ｂの主ロープ５への巻き付けを防ぐことができ、長期間にわたって安定してロープテンションを計測することができる。
【符号の説明】
【００２６】
１    ナット
２    ばね
３    通し穴
４    ロープソケット
４ａ  シンブルロッド
５    主ロープ
６    ロープテンション測定装置
７ａ  第１センサーケーブル
７ｂ  第２センサーケーブル
８ａ  内側円筒ブラケット
８ｂ  外側円筒ブラケット
９    支持部
１０ａ  第１信号接触子
１０ｂ  第２信号接触子
【図１】
2011152968.tif 000003
【図２】
2011152968.tif 000004
【図３】
2011152968.tif 000005
【図４】
2011152968.tif 000006